(57)【要約】【課題】携帯電子機器の無線通信状態を改善し、外出先でも充電を可能とする。【解決手段】商品包装容器の上端部に装着することが可能なキャップであって、商品包装容器の上端部に係合してキャップを商品包装容器に装着することを可能とする容器係合部と、携帯電子機器と係合して携帯電子機器をキャップに支持可能とする機器支持部と、機器支持部によって支持された携帯電子機器に向け無線通信の電波を反射可能に配置した反射器とを備える。【選択図】図２
2014209697.tif 000002
【特許請求の範囲】
【請求項１】
商品包装容器の上端部に装着することが可能なキャップであって、
前記商品包装容器の上端部に係合して前記キャップを前記商品包装容器に装着することを可能とする容器係合部と、
携帯電子機器と係合して当該携帯電子機器を当該キャップに支持することを可能とする機器支持部と、
前記機器支持部によって支持された携帯電子機器に向け無線通信の電波を反射可能に配置した反射器と
を備えたことを特徴とするキャップ。
【請求項２】
商品包装容器の上端部に装着することが可能なキャップであって、
前記商品包装容器の上端部に係合して前記キャップを前記商品包装容器に装着することを可能とする容器係合部と、
携帯電子機器と係合して当該携帯電子機器を当該キャップに支持することを可能とする機器支持部と、
無線通信の電波を受信可能な受信部と、
前記受信部により受信した電波に含まれる信号を増幅する増幅部と、
当該増幅部に電力を供給する電力供給部と、
前記増幅部により増幅された信号を前記機器支持部によって支持された携帯電子機器に向け電波として放射する放射器と
を備えたことを特徴とするキャップ。
【請求項３】
前記受信部が、
前記電波を反射可能な湾曲面を有する反射器と、
当該反射器で反射された電波を受信するアンテナ本体部と
を含む
請求項２に記載のキャップ。
【請求項４】
商品包装容器の上端部に装着することが可能なキャップであって、
前記商品包装容器の上端部に係合して前記キャップを前記商品包装容器に装着することを可能とする容器係合部と、
携帯電子機器と係合して当該携帯電子機器を当該キャップに支持することを可能とする機器支持部と、
無線通信の電波を受信可能な受信部と、
前記受信部と前記機器支持部によって支持された携帯電子機器とを電気的に接続して信号を伝送する伝送部と
を備えたことを特徴とするキャップ。
【請求項５】
前記伝送部により伝送される信号を増幅する増幅部と、
当該増幅部に電力を供給する電力供給部と
をさらに備えた請求項４に記載のキャップ。
【請求項６】
前記伝送部は、前記携帯電子機器と接続可能な接続端子を含み、
当該接続端子は、前記携帯電子機器を前記機器支持部に支持させたときに当該携帯電子機器に接続されるように前記機器支持部に備えてある
請求項４または５に記載のキャップ。
【請求項７】
天板部と、当該天板部から立ち下がる周壁部とを備え、
前記容器係合部を前記周壁部の下端部に形成する一方、
前記機器支持部を前記天板部に形成した
請求項１から６のいずれか一項に記載のキャップ。
【請求項８】
前記機器支持部は、前記携帯電子機器を挟み込むことが可能な挟持溝を含む
請求項１から７のいずれか一項に記載のキャップ。
【請求項９】
前記機器支持部は、
前記携帯電子機器の前面側に当接する前支持部と、
前記携帯電子機器の後面側に当接する後支持部と
を有し、
前記前支持部と前記後支持部とで挟むようにして前記携帯電子機器を支持可能とした
請求項１から７のいずれか一項に記載のキャップ。
【請求項１０】
前記前支持部と前記後支持部のうちのいずれか一方または双方が、前記携帯電子機器の厚さ方向である前後方向に設置位置を変更可能である
請求項９に記載のキャップ。
【請求項１１】
電池を装填可能な電池収納部と、
前記電池収納部に収納した電池の電力を前記携帯電子機器へ供給することにより前記携帯電子機器への充電を可能とする給電回路と、
前記給電回路と前記携帯電子機器とを電気的に接続して前記電池収納部に収納した電池の電力を前記携帯電子機器へ供給する送電部と
をさらに備えた
請求項１から１０のいずれか一項に記載のキャップ。
【請求項１２】
前記送電部は、前記携帯電子機器と接続可能な給電コネクタを含み、
当該給電コネクタは、前記携帯電子機器を前記機器支持部に支持させたときに当該携帯電子機器に接続されるように前記機器支持部に備えてある
請求項１１に記載のキャップ。
【請求項１３】
前記電池収納部に、１以上の乾電池を備えた
請求項１１または１２に記載のキャップ。
【請求項１４】
前記電波は、無線ＬＡＮ通信の電波である
請求項１から１３のいずれか一項に記載のキャップ。
【請求項１５】
前記電波は、Ｗｉ-Ｆｉ通信の電波である
請求項１から１３のいずれか一項に記載のキャップ。
【発明の詳細な説明】
【技術分野】
【０００１】
本発明は、飲料缶などの商品包装容器に装着可能なキャップに係り、特に、スマートフォンのような携帯電子機器を立てた状態で支持するとともにＷｉ−Ｆｉ等の無線通信の電波の受信状態を良好にするアンテナを備えたスタンド器具に関する。
【背景技術】
【０００２】
近年、携帯電話機やスマートフォン、タブレット端末のような各種の携帯電子機器が提供され、外出先で通信や音楽・映像鑑賞、ネット検索などを楽しむことが可能となった。これらの機器では、在来の携帯電話回線による通信機能以外にも、Ｗｉ-Ｆｉ（Wireless Fidelity）のような無線ＬＡＮやＷｉＭａｘ、衛星通信などの各種の無線通信機能を備えたものがある。
【０００３】
また、複数種類（例えばＷｉＭＡＸとＷｉ-Ｆｉ）の無線通信信号を処理できるアンテナモジュールを開示するものとして下記特許文献がある。
【先行技術文献】
【特許文献】
【０００４】
【特許文献１】特開２００８−２７１４８６号公報
【発明の概要】
【発明が解決しようとする課題】
【０００５】
ところで、携帯電話回線は先行している分、基地局や中継局などのインフラが十分に整備され、現在では比較的どこででも良好な通信状態が得られるが、公衆無線ＬＡＮ（例えばＷｉ-Ｆｉ）のような在来の携帯電話回線以外の無線通信では未だ良好な通信状態が得られないことがある。
【０００６】
このため、通信状態を改善するアンテナユニットなどの製品が販売されているが、このような機器は専門店や家電量販店に行かなければ手に入らず、外出先で直ちに入手することが難しい。
【０００７】
また、無線ＬＡＮのような通信機能を備えるには、電話回線用のアンテナのほかに当該無線通信の周波数帯に対応した専用のアンテナを機器内に内蔵させる必要がある。しかしながら、そのようなアンテナは配置スペースの制約から手元（例えばスマートフォンの下端部）に配置せざるを得ないことも少なくなく、利用者が手で持ったときに利用者自身の手が通信状態の劣化原因となることがある。
【０００８】
さらに、近時の携帯電子機器は、大きなディスプレイと様々な機能を有することからそれに伴って電池の消耗が大きく、機器内に内蔵されているバッテリでは長時間の使用が難しいという問題もある。
【０００９】
したがって、本発明の目的は、携帯電子機器の無線通信状態を改善することにある。また本発明の更なる目的は、外出先でも携帯電子機器への充電を可能とすることにある。
【課題を解決するための手段】
【００１０】
前記課題を解決し目的を達成するため、本発明に係る第１のキャップは、商品包装容器の上端部に装着することが可能なキャップであって、商品包装容器の上端部に係合して当該キャップを商品包装容器に装着することを可能とする容器係合部と、携帯電子機器と係合して当該携帯電子機器を当該キャップに支持することを可能とする機器支持部と、前記機器支持部によって支持された携帯電子機器に向け無線通信の電波を反射可能に配置した反射器とを備える。
【００１１】
本発明のキャップは、容器係合部によって商品包装容器の上端部に装着することが出来るキャップ状の器具であり、上記機器支持部によって携帯電子機器を支持することが出来るものである。
【００１２】
機器支持部は、例えば、携帯電子機器を挟み込むことが可能な挟持溝とする。また当該機器支持部が、携帯電子機器の前面側に当接する前支持部と、携帯電子機器の後面側に当接する後支持部とを有し、これら前支持部と後支持部とで挟むようにして携帯電子機器を支持できるようにしても良い。このような前支持部と後支持部を備える構造とした場合には、前支持部と後支持部のうちのいずれか一方または双方が携帯電子機器の厚さ方向である前後方向に設置位置を変更できるようにしても良い。厚さの異なる携帯電子機器に柔軟に対応できるようにするためである。さらに当該機器支持部は、携帯電子機器を支えられる機能を有するものであれば良いから、携帯電子機器の下端部を差し込むような穴あるいはポケット状のものであっても構わない。
【００１３】
またキャップの典型的な構造として、本発明のキャップは、天板部と、この天板部から立ち下がる周壁部とを備え、前記容器係合部を周壁部の下端部に形成する一方、前記機器支持部を天板部に形成する場合がある。
【００１４】
なお、これら容器係合部および機器支持部は、後に述べる第２および第３のキャップにおいても同様である。
【００１５】
一方、本発明の第１のキャップでは、機器支持部によって支持された携帯電子機器に向け無線通信の電波を反射可能に配置した反射器を備える。この反射器により電波を反射させ、キャップに支持した携帯電子機器の通信状態を改善するためである。なお、このように携帯電子機器に向け電波を反射可能なように反射器を配置すれば、当該携帯電子機器の受信状態を改善できるだけなく、逆に、携帯電子機器から発信される電波も受信電波と同様に当該反射器によって反射させることが出来るから、当該携帯電子機器の送信状態も改善することが出来る。
【００１６】
本発明のキャップは、例えば缶飲料に装着し、これをコンビニエンスストアや自動販売機を通じて販売するようにすれば、外出先で手軽に通信状態を改善する器具（後に述べる充電機能を更に備えておけば充電器具）を入手することが可能となる。またこのような飲料缶に装着された本発明のキャップに携帯電子機器を支持させれば、飲料缶を持って機器を操作することができ、携帯電子機器を直接手で持つ必要がなくなるから、使用者の手で覆われることによる通信状態の劣化の問題を解消することも出来る。
【００１７】
本発明の第２のキャップは、商品包装容器の上端部に装着することが可能なキャップであって、商品包装容器の上端部に係合して当該キャップを商品包装容器に装着することを可能とする容器係合部と、携帯電子機器と係合して当該携帯電子機器を当該キャップに支持することを可能とする機器支持部と、無線通信の電波を受信可能な受信部と、前記受信部により受信した電波に含まれる信号を増幅する増幅部と、この増幅部に電力を供給する電力供給部と、前記増幅部により増幅された信号を前記機器支持部によって支持された携帯電子機器に向け電波として放射する放射器とを備える。
【００１８】
この第２のキャップでは、上記受信部で無線通信の電波を受け、これを上記増幅部で増幅した後、放射器から携帯電子機器へ向け放射する。これによりキャップに支持させた携帯電子機器の通信状態（電波の受信状態）を改善することが出来る。
【００１９】
なお、この第２のキャップでは、携帯電子機器からの発信電波を受ける受信部と、この受信部で受信した送信信号を増幅する増幅部および電力供給部と、当該増幅部により増幅された信号を送信電波として放射する放射器を同様に備えても良く、このような態様によれば前記第１のキャップで述べたのと同様に当該携帯電子機器の送信状態を改善することが出来る。
【００２０】
上記第２のキャップでは、受信部が、上記電波を反射可能な湾曲面を有する反射器と、この反射器で反射された電波を受信するアンテナ本体部とを含むようにしても良い。無線通信の電波を効率良く受信するためである。
【００２１】
本発明の第３のキャップは、商品包装容器の上端部に装着することが可能なキャップであって、商品包装容器の上端部に係合して当該キャップを商品包装容器に装着することを可能とする容器係合部と、携帯電子機器と係合して当該携帯電子機器を当該キャップに支持することを可能とする機器支持部と、無線通信の電波を受信可能な受信部と、当該受信部と前記機器支持部によって支持された携帯電子機器とを電気的に接続する伝送部とを備える。
【００２２】
この第３のキャップでは、上記受信部により無線通信の電波を受信し、これを上記伝送部によって携帯電子機器に伝送する。この伝送部は、例えば、携帯電子機器に接続可能な接続端子（コネクタ）と、信号を伝送可能な伝送ケーブルとを有する。また、上記受信部は、受信だけでなく、送信用のアンテナとして機能させるようにしても良い。すなわち、上記伝送部が携帯電子機器からの送信信号を当該受信部に伝送し、この送信信号を当該受信部が電波として放射するようにしても良い。
【００２３】
さらに、この第３のキャップでも前記第２のキャップと同様に、上記伝送部により伝送される信号を増幅する増幅部と、当該増幅部に電力を供給する電力供給部とをさらに備えることが出来る。
【００２４】
また、上記伝送部は、携帯電子機器と接続可能な接続端子を含み、この接続端子が、携帯電子機器を前記機器支持部に支持させたときに当該携帯電子機器に接続されるように前記機器支持部に備えても良い。
【００２５】
さらに本発明に係るキャップ（上記第１〜第３のキャップ）では、電池を装填可能な電池収納部と、この電池収納部に収納した電池の電力を携帯電子機器へ供給することにより当該携帯電子機器への充電を可能とする給電回路と、この給電回路と携帯電子機器とを電気的に接続して前記電池収納部に収納した電池の電力を携帯電子機器へ供給する送電部とをさらに備えることが出来る。
【００２６】
このような態様によれば、通信状態を改善するだけでなく、キャップに支持させた携帯電子機器を充電することが可能となる。
【００２７】
また、上記充電機能を備えたキャップにでは、前記送電部が携帯電子機器と接続可能な給電コネクタを含み、当該給電コネクタが、携帯電子機器を前記機器支持部に支持させたときに当該携帯電子機器に接続されるように前記機器支持部に備える場合がある。また当該キャップでは、上記電池収納部に１以上の乾電池を備えて提供しても良い。
【００２８】
本発明に係るキャップに関連して述べる前記電波は、例えば、Ｗｉ-Ｆｉ通信などの無線ＬＡＮ通信の電波である。
【００２９】
本発明が対象とする携帯電子機器には、これらに限定されるわけではないが、例えば、携帯電話機、スマートフォン、タブレット端末、ゲーム機、ＰＤＡ，音楽プレイヤー，デジタルカメラなどが含まれる。
【００３０】
また、前記商品包装容器は、典型的には、コーヒーやジュースなどの飲料缶（缶容器）であるが、本発明に言う「容器」並びに「缶」はその種類・材質・サイズ・用途（内容物）等を特に問わない。後に述べる実施形態では缶コーヒーのような飲料缶を例にとったが、用途（内容物）は、例えばジュース・コーラ・サイダーのような清涼飲料、ビール・チューハイ・ハイボールのようなアルコール飲料、おしるこ・タピオカ・所謂飲むゼリー・飲むヨーグルトのような液状食品類、栄養ドリンクなど様々なものであって良い。また、本発明のキャップは、缶容器以外の商品包装容器、例えばＴシャツ・下着などの衣類、パスタ・菓子などの食品、茶葉・コーヒー豆・タバコのような嗜好品、ゴルフボール・テニスボール・バドミントンシャトル等のスポーツ用具類、玩具、化粧品など様々な商品を包装する（収容する）ケースについても上記缶容器と同様に適用することが可能である。さらに「容器」のサイズは収容する商品に合わせて各種のものであって良く、材質も、金属（例えばアルミやスチール）、樹脂、ガラス、その他の材質のもので良い。
【００３１】
本発明では、かかる商品包装容器（例えば開封前の飲料缶又は飲み終わった空き缶）に装着するとともに上記携帯電子機器を機器支持部に支持させ、商品包装容器を手で持って或いはテーブルなどに立て置くことにより携帯電子機器を使用することが出来る。すなわち、本発明のキャップによれば、携帯電子機器を立て置くスタンド（三脚）として、あるいは、携帯電子機器を手で持つグリップ（把持具）として商品包装容器を役立たせることができ、このように携帯電子機器を商品包装容器（キャップ）に装着した状態で音楽鑑賞や映像鑑賞、ゲーム、ＴＶ電話機能、写真撮影、動画撮影などを行い、あるいは、改善された良好な通信状態でネット検索や通信を行うことが出来る。さらに、充電機能を備えたキャップによれば、充電しながらこれらの携帯電子機器の使用を行うことが出来る。
【発明の効果】
【００３２】
本発明によれば、携帯電子機器の無線通信状態を改善することが出来る。また本発明の一態様によれば、外出先でも携帯電子機器に充電することが可能となる。
【００３３】
本発明の他の目的、特徴および利点は、図面に基づいて述べる以下の本発明の実施の形態の説明により明らかにする。なお、各図中、同一の符号は、同一又は相当部分を示す。
【図面の簡単な説明】
【００３４】
【図１】図１は、本発明の第１の実施形態に係るキャップの使用状態を示す斜視図である。
【図２】図２は、前記第１実施形態のキャップを飲料缶と携帯電子機器（スマートフォン）と分離した状態で示す斜視図である。
【図３】図３は、前記第１実施形態のキャップを分解して示す斜視図である。
【図４】図４は、前記第１実施形態のキャップ（側面から見た状態）を示す断面図である。
【図５】図５は、前記第１実施形態のキャップ（側面から見た状態）を分解して示す断面図である。
【図６】図６は、前記第１実施形態のキャップを模式的に示す図である。
【図７】図７は、前記第１実施形態のキャップの変形例を模式的に示す図である。
【図８】図８は、前記第１実施形態のキャップの別の変形例を示す斜視図である。
【図９】図９は、本発明の第２の実施形態に係るキャップを示す斜視図である。
【図１０】図１０は、前記第２実施形態のキャップを模式的に示す図である。
【図１１】図１１は、前記第２実施形態に係るキャップの変形例を模式的に示す図である。
【図１２】図１２は、本発明の第３の実施形態に係るキャップを模式的に示す図である。
【図１３】図１３は、本発明の第４の実施形態に係るキャップの使用状態を示す斜視図である。
【図１４】図１４は、前記第４実施形態のキャップを飲料缶と携帯電子機器（スマートフォン）と分離した状態で示す斜視図である。
【発明を実施するための形態】
【００３５】
〔第１実施形態〕
本発明の第１の実施形態に係るキャップは、図１から図６に示すように、缶飲料の飲料缶５の上面部に装着し、携帯電子機器（スマートフォン）１を立てた状態で支持することが可能なキャップ型のスタンド器具で、スマートフォン１が備えるＷｉ-Ｆｉ通信機能の電波の受信状態を改善する補助アンテナ（反射器）５５と、スマートフォン１に充電を行う充電機能を備えたものである。
【００３６】
キャップ１１は、有蓋無底の（天板は有るが底は無い）円筒状の全体形状を有し飲料缶５に被せて嵌合させることが可能な外部筐体２１と、この外部筐体２１の内部に収容した円筒状の内部筐体３１とを備える。外部筐体２１は、円盤状の天板部２１ａと筒状の周壁部２１ｂとを有し、底面は内部筐体３１を受け入れるとともに、飲料缶５の上縁部を挿入することが出来る開口２１ｃとしてあり、この開口２１ｃの周縁部に沿って周壁部２１の内面下端部に一定の間隔で突起部（係止突起）２２を形成してある。これらの係止突起２２は、飲料缶５の上縁部に形成されている凹溝６に嵌り込んで当該キャップ１１を飲料缶５に支持させることを可能とする。
【００３７】
一方、天板部２１ａの上面にはスマートフォン１を挟み込んで立てることを可能とする挟持溝２３を備える。この挟持溝２３は、スマートフォン１の下端部の前面に当接するように天板部２１ａの上面前側に形成した前支持部５１と、スマートフォン１の下端部の後面に当接するように天板部２１ａの上面後側に形成した後支持部５２とによって天板部２１ａの上面に形成してあり、スマートフォン１の厚さ寸法に対応した溝幅を有するものとする。
【００３８】
なお、上記挟持溝２３の内側（前支持部５１の後面と後支持部５２の前面）には、ラバー材などの弾力性と滑り止めの機能を有する弾性部材（図示せず）を配置しておいても良く、このような態様によれば、スマートフォン１をより確実に支持するとともに、厚さの違いを吸収することが可能となり、肉厚寸法の異なる各種のスマートフォン（携帯電子機器）１や、カバーを装着しているスマートフォン１に対してもこれらを挟持溝２３内に柔軟に受け入れて支持することが出来る。さらに、前支持部５１又は後支持部５２を前後に移動できるようにしておけば、同様に異なる厚さのスマートフォン（携帯電子機器）１に対応可能とすることが出来る。
【００３９】
また、後支持部５２はスマートフォン１を確実に支えることができ且つ後に述べる十分な面積の反射器５５を備えることが出来るようにその高さを高くする一方、前支持部５１はスマートフォン１の操作および画面を邪魔することがないようにその高さを低くしてある。
【００４０】
さらに、後支持部５２は、半円状の平面形状を有し、上面が開口となっている。そして、その内面、すなわち後支持部５２の底の上面および挟持溝２３を取り囲むように湾曲した周壁の内面には、電波を反射可能な金属板（例えばアルミニウム板）５５を貼り付けてある。この金属板５５は挟持溝に挟んだスマートフォン１に向けてＷｉ-Ｆｉの電波を反射して当該スマートフォン１の通信状態を改善する反射器を構成するものである。
【００４１】
内部筐体３１にはその内部に、電池（乾電池）３６と、電池３６の電力をスマートフォン１に供給して充電を行うための給電回路３５を備える。なお、図中の符号３７は電池３６に接続される端子を示す。また、本実施形態の場合には単三型の乾電池３６を２本備えたが、使用する電池は特に限定されない。例えば、本発明で使用する電池は、典型的には、本実施形態のように単三型又は単四型などのマンガン電池又はアルカリ電池であるが、その他の一次電池（例えばリチウム電池アルカリ電池、水銀電池など）であっても良いし、例えばリチウムイオン電池やニッケル‐水素電池、ニッケル‐カドミウム電池などのような充電可能な二次電池であっても良い。大きさは単三型および単四型以外であっても構わない。内蔵する本数は、例えば１本又は３本以上でも良い。
【００４２】
さらに、上記給電回路３５の具体的な回路構成は、携帯電子機器１に充電を行える限り特に問わない。当該給電回路３５は、例えば昇圧回路、電流逆流防止回路、電流制御回路、電圧制御回路などを含むことが出来るが、要は、電池３６の電力をコネクタ４１を通じて携帯電子機器１に供給可能なものであれば如何なるものであっても良い。また、電池３６（端子３７）と給電回路３５と間、あるいは、給電回路３５とコネクタ４１との間などを電気的に接続する配線は内部筐体３１内で適宜引き回せば良く、図４〜図５等では示していない。
【００４３】
内部筐体３１の天板部には、垂直上方に向け立てるようにコネクタ４１を設ける。このコネクタ４１は、給電回路３５に接続され、スマートフォン１を挟持溝２３に挟み込むと当該スマートフォン１に差し込まれ（接続され）、給電回路３５からの電力をスマートフォン１に供給する。なお、コネクタ４１が挟持溝２３内に垂直上方に起立できるように外部筐体２１の天板部２１ａには当該天板部２１ａを貫通する孔２４を形成してある。
【００４４】
なお、内部筐体３１は、円盤状の天板部と、同じく円盤状の底板部３１ａと、円筒状の周壁部とを備えており、前記外部筐体２１の係止突起２２を使用して飲料缶５にキャップ１１を装着したときに当該飲料缶５の天面に内部筐体３１の底板部３１ａが当接する。底板部３１ａは、例えば内部に収容した乾電池３６の交換を可能とするため、開閉可能に構成しても良い。
【００４５】
前記反射器５５は、図７に示すようにすり鉢状の形状を有するものとしていても良い。キャップ１１に支持させたスマートフォン１に向け効率良く電波を反射させるためである。さらに、図８に示すように、反射器５５を備えるが充電機能を備えないキャップ１１を構成することもでき、この場合、コネクタ４１は設けなくて良い。
【００４６】
〔第２実施形態〕
図９から図１０に示すように本発明の第２の実施形態に係るキャップは、前記第１実施形態のキャップと同様に、挟持溝２３（前支持部５１および後支持部５２）を備え飲料缶５に装着可能な外部筐体２１と、内部筐体３１とを備えるものであるが、受信した無線通信（Ｗｉ-Ｆｉ通信）の電波を増幅してスマートフォン１に向け送信するものである。なお、前記第１実施形態と同様の構成には同一の符号を付して重複した説明を省略する（以降の実施形態についても同様）。
【００４７】
具体的には本実施形態のキャップは、前記第１実施形態の反射器５５に代えて、反射板６５と棒状のアンテナ本体部６６とからなる補助アンテナ６１を備える。この補助アンテナ６１はパラボラアンテナと同様のもので、反射板６５は金属板からなり、無線通信（Ｗｉ−Ｆｉ）の電波を受けてこれをアンテナ本体部６６へ向け反射し、また、アンテナ本体部６６から放射される送信電波を外部へ向け反射する。また、内部筐体３１の内部には、挟持溝２３に支持させたスマートフォン１に向け電波を放射する放射板６７を挟持溝２３の下方位置に備えるとともに、増幅部６８と、この増幅部６８に電力を供給する電源部（電池）３６を備える。
【００４８】
そして、反射板６５により反射されアンテナ本体部６６によって受信された無線通信の電波は、増幅部６８へ伝送され、この増幅部６８で増幅された後、放射板６７からスマートフォン１に向け放射される。またこの放射板６７は、スマートフォン１から発信される送信電波を受信する機能をも果たし、放射板６７によって受信された送信電波は高周波電流として増幅部６８に伝送されて当該増幅部６８で増幅され、アンテナ本体部６６から反射板６５を介して送信電波として外部へ放射される。これによりスマートフォン１の通信状態を改善することが出来る。特に、本実施形態の補助アンテナ６１によれば、パラボラアンテナと同様に、無線通信のアクセスポイントに対し指向性を持って効率良く電波を送受信することが出来る。
【００４９】
また図１１に示すように、本実施形態のキャップでも前記第１実施形態と同様に充電機能を備えることが出来る。この場合、増幅部６８とともに給電回路３５へも電源部３６から電力を供給するようにすれば良い。
【００５０】
〔第３実施形態〕
本発明の第３の実施形態に係るキャップは、図１２に示すように前記第２実施形態と同様に受信電波を増幅する増幅部６８と、電源部３６とを備えるが、前記放射板６７は備えず、増幅部６８とスマートフォン１は前記第１実施形態と同様に、挟持溝２３内に備えたコネクタ４１によって接続する。また、補助アンテナ７１として図示の例では第１実施形態の反射器と同様の金属板５５を備えたが、この補助アンテナ７１は前記第２実施形態の補助アンテナ６１と同様のものとしても良い。
【００５１】
本実施形態のキャップでは、補助アンテナ７１で受信された電波は増幅部６８で増幅されてコネクタ４１を通じてスマートフォン１に伝送される。また、スマートフォン１からの送信信号は増幅部６８で増幅されて補助アンテナ７１から外部へ放射される。
【００５２】
〔第４実施形態〕
本発明の第４の実施形態に係るキャップは、図１３〜図１４に示すように、上面を開口とした円筒状の筐体８１を備え、上面からスマートフォン１を差し込んで立てられるようにしたものである。筐体８１の側面部には、耳のように左右に張り出した拡径部８２を備え、この拡径部８２にスマートフォン下端部の左右両縁部を差し込んで把持できるようにした。また、これら拡径部８２の内部には、上方位置に底板８３を備え、拡径部８２に差し込んだスマートフォン１はこれらの底板８３に当接することにより、筐体８１の中に深く差し込まれることがなく、画面部分が筐体８１の中に沈み込まないようにしてある。
【００５３】
さらに、筐体８１の中央部の下端部には底板８４を備えてある。そして、この底板８４の上面と、筒状の筐体８１の側壁部の内面には、電波を反射可能な金属板（図示せず）を貼り付けてあり（アルミニウムを蒸着させるなど、金属箔によってコーディングしても良い／前記第１〜第３の実施形態においても同様）、これによりキャップに支持させたスマートフォン１の通信状態を改善する。
【００５４】
なお、飲料缶５は一般に金属製でありその上面で電波が反射されるから、筐体中央部の底板８４（したがって底板上面の金属板）を備えなくても（底が抜けていても）良く、そのような構造を有するキャップも本発明の範囲内であるが、電波を良好に反射させる観点から凸凹の無い、上記底板８４を備えてその上面に金属板を備えておくことが好ましい。なお、当該底板８４を、その上面（金属板）がパラボラアンテナの反射器のように湾曲面となるようにしたり、あるいは前記図７に示したようにすり鉢状になるようにしても良い。受信電波をスマートフォン１に向け効率良く反射させるためである。
【００５５】
また、上記底板８４のさらに下方位置となる筐体８１の底面部には前記各実施形態と同様に、飲料缶５に装着することが出来るように飲料缶５を受入れ可能な開口と係止突起２２とを備える。
【００５６】
以上、本発明の実施形態について説明したが、本発明はこれらの実施形態あるいは図示の形状・構造に限定されるものではなく、特許請求の範囲内で様々な変更が可能であることは当業者に明らかである。
【符号の説明】
【００５７】
１  携帯電子機器（スマートフォン）
５  飲料缶
６  飲料缶上端部の凹溝
１１  キャップ
２１  外部筐体
２１ａ  外部筐体の天板部
２１ｂ  外部筐体の周壁部
２１ｃ  外部筐体の下面開口
２２  係止突起
２３  挟持溝
２４  コネクタ用孔
３１  内部筐体
３１ａ  内部筐体の底板部
３５  給電回路
３６  電源部（電池）
３７  電池用端子
４１  コネクタ
５１  前支持部
５２  後支持部
５５  金属板（反射器）
６１，７１  補助アンテナ
６５  反射板
６６  アンテナ本体部
６７  放射板
６８  増幅部
８１  筐体
８２  拡径部
８３  拡径部の底板
８４  底板
【図１】
2014209697.tif 000003
【図２】
2014209697.tif 000004
【図３】
2014209697.tif 000005
【図４】
2014209697.tif 000006
【図５】
2014209697.tif 000007
【図６】
2014209697.tif 000008
【図７】
2014209697.tif 000009
【図８】
2014209697.tif 000010
【図９】
2014209697.tif 000011
【図１０】
2014209697.tif 000012
【図１１】
2014209697.tif 000013
【図１２】
2014209697.tif 000014
【図１３】
2014209697.tif 000015
【図１４】
2014209697.tif 000016